(57)【要約】【課題】通信サービスをより向上させる。【解決手段】複数の上位装置と、当該上位装置と通信端末との間で送受信されるデータを中継する通信装置は、現在接続中の上位装置から他の上位装置に接続先を切り替える際、当該他の上位装置に対して無線リソースの予約要求を送信し、他の上位装置から、予約要求に対する予約結果を受信し、予約結果を基に、他の上位装置へ無線接続するよう制御しており、予約要求は、通信装置が他の上位装置における無線リソースの予約を待つことができるか否かの状態に関する情報を含み、予約結果と、状態とに基づいて他の上位装置へ無線接続するよう制御する。【選択図】図５
2015177357.tif 000002
【特許請求の範囲】
【請求項１】
複数の上位装置と、当該上位装置と通信端末との間で送受信されるデータを中継する通信装置であって、
現在接続中の上位装置から他の上位装置に接続先を切り替える際、当該他の上位装置に対して無線リソースの予約要求を送信する送信部と、
前記他の上位装置から、前記予約要求に対する予約結果を受信する受信部と、
前記予約結果を基に、前記他の上位装置へ無線接続するよう制御する制御部と、を備え、
前記予約要求は、前記通信装置が前記他の上位装置における前記無線リソースの予約を待つことができるか否かの状態に関する情報を含み、
前記制御部は、前記予約結果と、前記状態とに基づいて前記他の上位装置へ無線接続するよう制御する、通信装置。
【請求項２】
前記通信装置が、前記他の上位装置における前記無線リソースの予約を待つことができる状態である場合、
前記受信部が、前記他の上位装置から前記無線リソースの予約に関する予約通知を受信すると、
前記制御部は、前記上位装置から前記他の上位装置に接続先を切り替える制御を行う、
請求項１に記載の通信装置。
【請求項３】
複数の上位装置と、当該上位装置と通信端末との間で送受信されるデータを中継する通信装置とで構成される通信システムの当該上位装置であって、
他の上位装置に接続中の中継基地局から自上位装置へ接続先を切り替えるための、無線リソースの予約要求を受信する受信部と、
自上位装置における無線リソースの使用状況に応じて、前記予約の可否を判断する制御部と、
前記予約の可否の判断結果を示す予約結果を、前記中継基地局宛てに送信する送信部と、を備え、
前記予約要求は、前記通信装置が自上位装置における前記無線リソースの予約を待つことができるか否かの状態に関する情報を含み、
前記制御部は、前記予約結果と、前記状態とに基づいて、前記通信装置に対する無線リソースの予約を実行する、上位装置。
【請求項４】
前記制御部は、
前記通信装置に対する無線リソースの予約ができず、かつ、前記通信装置が、自上位装置における前記無線リソースの予約を待つことができる状態である場合、
空き無線リソースが生じると、前記通信装置に対して当該空き無線リソースの予約を行い、当該予約した旨を示す予約通知を、前記送信部を介して送信する、
請求項３に記載の上位装置。
【請求項５】
複数の上位装置と、当該上位装置と通信端末との間で送受信されるデータを中継する通信装置と、を含む通信システムであって、
前記通信装置は、
現在接続中の上位装置から他の上位装置に接続先を切り替える際、当該他の上位装置に対して無線リソースの予約要求を送信する第１送信部と、
前記他の上位装置から、前記予約要求に対する予約結果を受信する第１受信部と、
前記予約結果を基に、前記他の上位装置へ無線接続するよう制御する第１制御部と、を備え、
前記無線リソースの予約要求を送信された前記他の上位装置は、
前記無線リソースの予約要求を受信する第２受信部と、
自上位装置における無線リソースの使用状況に応じて、前記予約の可否を判断する第２制御部と、
前記予約の可否の判断結果を示す予約結果を、前記中継基地局宛てに送信する第２送信部と、を備え、
前記予約要求は、前記通信装置が自上位装置における前記無線リソースの予約を待つことができるか否かの状態に関する情報を含み、
前記第１制御部は、前記予約結果と、前記状態とに基づいて前記他の上位装置へ無線接続するよう制御し、
前記第２制御部は、前記予約結果と、前記状態とに基づいて、前記通信装置に対する無線リソースの予約を実行する、通信システム。
【請求項６】
複数の上位装置と、当該上位装置と通信端末との間で送受信されるデータを中継する通信装置の通信制御方法であって、
現在接続中の上位装置から他の上位装置に接続先を切り替える際、当該他の上位装置に対して無線リソースの予約要求を送信するステップＡと、
前記他の上位装置から、前記予約要求に対する予約結果を受信するステップＢと、
前記予約結果を基に、前記他の上位装置へ無線接続するよう制御するステップＣと、を有し、
前記予約要求は、前記通信装置が前記他の上位装置における前記無線リソースの予約を待つことができるか否かの状態に関する情報を含み、
前記予約結果と、前記状態とに基づいて前記他の上位装置へ無線接続するよう制御するステップＤ、をさらに有する通信制御方法。
【請求項７】
複数の上位装置と、当該上位装置と通信端末との間で送受信されるデータを中継する通信装置とで構成される通信システムの当該上位装置の通信制御方法であって、
他の上位装置に接続中の中継基地局から自上位装置へ接続先を切り替えるための、無線リソースの予約要求を受信するステップＡと、
自上位装置における無線リソースの使用状況に応じて、前記予約の可否を判断するステップＢと、
前記予約の可否の判断結果を示す予約結果を、前記中継基地局宛てに送信するステップＣと、を有し、
前記予約要求は、前記通信装置が自上位装置における前記無線リソースの予約を待つことができるか否かの状態に関する情報を含み、
前記予約結果と、前記状態とに基づいて、前記通信装置に対する無線リソースの予約を実行するステップＤをさらに有する、通信制御方法。
【請求項８】
複数の上位装置と、当該上位装置と通信端末との間で送受信されるデータを中継する通信装置と、を含む通信システムの通信制御方法であって、
前記通信装置が、現在接続中の上位装置から他の上位装置に接続先を切り替える際、当該他の上位装置に対して無線リソースの予約要求を送信するステップＡと、
前記他の上位装置が、前記無線リソースの予約要求を受信するステップＢと、
前記他の上位装置が、自上位装置における無線リソースの使用状況に応じて、前記予約の可否を判断するステップＣと、
前記他の上位装置が、前記予約の可否の判断結果を示す予約結果を、前記中継基地局宛てに送信するステップＤと、
前記通信装置が、前記他の上位装置から、前記予約要求に対する予約結果を受信するステップＥと、
前記通信装置が、前記予約結果を基に、前記他の上位装置へ無線接続するよう制御するステップＦと、を有し、
前記予約要求は、前記通信装置が自上位装置における前記無線リソースの予約を待つことができるか否かの状態に関する情報を含み、
前記通信装置が、前記予約結果と、前記状態とに基づいて前記他の上位装置へ無線接続するよう制御するステップＧと、
前記他の上位装置が、前記予約結果と、前記状態とに基づいて、前記通信装置に対する無線リソースの予約を実行するステップＨと、をさらに有する通信制御方法。
【発明の詳細な説明】
【技術分野】
【０００１】
本発明は、無線通信を行う通信装置、上位装置、通信システムおよび通信制御方法に関する。
【背景技術】
【０００２】
基地局からの無線信号が届きにくい場所、基地局設置時の有線回線敷設に多額の費用を要する場所では、データを無線で中継する通信装置が設置される。この通信装置には、隣接する基地局と通信端末との間で送受信されるデータを中継する中継局や、無線バックホールにより上位のネットワークに接続する中継基地局がある。通信装置は、無線リソースを使用して回線側の基地局（以下、回線側基地局と記載する。）等の上位装置に無線接続する（例えば、特許文献１を参照。）。
【０００３】
上述の通信装置は、接続先の回線側基地局と下位の無線端末等との間でデータを送受信するにあたり、自通信装置と回線側基地局との間で、できるだけ通信品質のよい無線リソースを利用することで、多くのデータを送受信することができる。そのため、通信装置は、より通信品質のよい無線リソースを利用するために、より通信品質のよい無線信号を送信する回線側基地局への無線接続の切り替えを試みる。
【先行技術文献】
【特許文献】
【０００４】
【特許文献１】特開２００１−２９８３９９号公報
【発明の概要】
【発明が解決しようとする課題】
【０００５】
通信装置がより通信品質のよい無線信号を送信する回線側基地局に無線接続するためには、新たな無線接続先の候補となる回線側基地局に無線リソースの空きが必要となる。しかしながら、候補となる回線側基地局に無線リソースの空きがなければ、この回線側基地局に通信装置は無線接続することができない。そのため、通信装置が、より通信品質のよい無線リソースを確実に確保することで、通信サービスを向上させるための技術が検討されている。
【０００６】
本発明は、このような問題に鑑み、通信サービスをより向上させることが可能な通信装置、上位装置、通信システムおよび通信制御方法を提供することを目的とする。
【課題を解決するための手段】
【０００７】
上記課題を解決するために、本発明の代表的な構成は、複数の上位装置と、当該上位装置と通信端末との間で送受信されるデータを中継する通信装置であって、現在接続中の上位装置から他の上位装置に接続先を切り替える際、当該他の上位装置に対して無線リソースの予約要求を送信する送信部と、前記他の上位装置から、前記予約要求に対する予約結果を受信する受信部と、前記予約結果を基に、前記他の上位装置へ無線接続するよう制御する制御部と、を備え、前記予約要求は、前記通信装置が前記他の上位装置における前記無線リソースの予約を待つことができるか否かの状態に関する情報を含み、前記制御部は、前記予約結果と、前記状態とに基づいて前記他の上位装置へ無線接続するよう制御する。
【０００８】
また、前記通信装置が、前記他の上位装置における前記無線リソースの予約を待つことができる状態である場合、前記受信部が、前記他の上位装置から前記無線リソースの予約に関する予約通知を受信すると、前記制御部は、前記上位装置から前記他の上位装置に接続先を切り替える制御を行ってもよい。
【０００９】
上記課題を解決するために、本発明にかかる他の構成は、複数の上位装置と、当該上位装置と通信端末との間で送受信されるデータを中継する通信装置とで構成される通信システムの当該上位装置であって、他の上位装置に接続中の中継基地局から自上位装置へ接続先を切り替えるための、無線リソースの予約要求を受信する受信部と、自上位装置における無線リソースの使用状況に応じて、前記予約の可否を判断する制御部と、前記予約の可否の判断結果を示す予約結果を、前記中継基地局宛てに送信する送信部と、を備え、前記予約要求は、前記通信装置が自上位装置における前記無線リソースの予約を待つことができるか否かの状態に関する情報を含み、前記制御部は、前記予約結果と、前記状態とに基づいて、前記通信装置に対する無線リソースの予約を実行する。
【００１０】
また、前記制御部は、前記通信装置に対する無線リソースの予約ができず、かつ、前記通信装置が、自上位装置における前記無線リソースの予約を待つことができる状態である場合、空き無線リソースが生じると、前記通信装置に対して当該空き無線リソースの予約を行い、当該予約した旨を示す予約通知を、前記送信部を介して送信してもよい。
【００１１】
上記課題を解決するために、本発明にかかる他の構成は、複数の上位装置と、当該上位装置と通信端末との間で送受信されるデータを中継する通信装置と、を含む通信システムであって、前記通信装置は、現在接続中の上位装置から他の上位装置に接続先を切り替える際、当該他の上位装置に対して無線リソースの予約要求を送信する第１送信部と、前記他の上位装置から、前記予約要求に対する予約結果を受信する第１受信部と、前記予約結果を基に、前記他の上位装置へ無線接続するよう制御する第１制御部と、を備え、前記無線リソースの予約要求を送信された前記他の上位装置は、前記無線リソースの予約要求を受信する第２受信部と、自上位装置における無線リソースの使用状況に応じて、前記予約の可否を判断する第２制御部と、前記予約の可否の判断結果を示す予約結果を、前記中継基地局宛てに送信する第２送信部と、を備え、前記予約要求は、前記通信装置が自上位装置における前記無線リソースの予約を待つことができるか否かの状態に関する情報を含み、前記第１制御部は、前記予約結果と、前記状態とに基づいて前記他の上位装置へ無線接続するよう制御し、前記第２制御部は、前記予約結果と、前記状態とに基づいて、前記通信装置に対する無線リソースの予約を実行する。
【００１２】
上記課題を解決するために、本発明にかかる他の構成は、複数の上位装置と、当該上位装置と通信端末との間で送受信されるデータを中継する通信装置の通信制御方法であって、現在接続中の上位装置から他の上位装置に接続先を切り替える際、当該他の上位装置に対して無線リソースの予約要求を送信するステップＡと、前記他の上位装置から、前記予約要求に対する予約結果を受信するステップＢと、前記予約結果を基に、前記他の上位装置へ無線接続するよう制御するステップＣと、を有し、前記予約要求は、前記通信装置が前記他の上位装置における前記無線リソースの予約を待つことができるか否かの状態に関する情報を含み、前記予約結果と、前記状態とに基づいて前記他の上位装置へ無線接続するよう制御するステップＤ、をさらに有する。
【００１３】
上記課題を解決するために、本発明にかかる他の構成は、複数の上位装置と、当該上位装置と通信端末との間で送受信されるデータを中継する通信装置とで構成される通信システムの当該上位装置の通信制御方法であって、他の上位装置に接続中の中継基地局から自上位装置へ接続先を切り替えるための、無線リソースの予約要求を受信するステップＡと、自上位装置における無線リソースの使用状況に応じて、前記予約の可否を判断するステップＢと、前記予約の可否の判断結果を示す予約結果を、前記中継基地局宛てに送信するステップＣと、を有し、前記予約要求は、前記通信装置が自上位装置における前記無線リソースの予約を待つことができるか否かの状態に関する情報を含み、前記予約結果と、前記状態とに基づいて、前記通信装置に対する無線リソースの予約を実行するステップＤをさらに有する。
【００１４】
上記課題を解決するために、本発明にかかる他の構成は、複数の上位装置と、当該上位装置と通信端末との間で送受信されるデータを中継する通信装置と、を含む通信システムの通信制御方法であって、前記通信装置が、現在接続中の上位装置から他の上位装置に接続先を切り替える際、当該他の上位装置に対して無線リソースの予約要求を送信するステップＡと、前記他の上位装置が、前記無線リソースの予約要求を受信するステップＢと、前記他の上位装置が、自上位装置における無線リソースの使用状況に応じて、前記予約の可否を判断するステップＣと、前記他の上位装置が、前記予約の可否の判断結果を示す予約結果を、前記中継基地局宛てに送信するステップＤと、前記通信装置が、前記他の上位装置から、前記予約要求に対する予約結果を受信するステップＥと、前記通信装置が、前記予約結果を基に、前記他の上位装置へ無線接続するよう制御するステップＦと、を有し、前記予約要求は、前記通信装置が自上位装置における前記無線リソースの予約を待つことができるか否かの状態に関する情報を含み、前記通信装置が、前記予約結果と、前記状態とに基づいて前記他の上位装置へ無線接続するよう制御するステップＧと、前記他の上位装置が、前記予約結果と、前記状態とに基づいて、前記通信装置に対する無線リソースの予約を実行するステップＨと、をさらに有する。
【００１５】
上記課題を解決するために、本発明にかかる他の構成は、複数の上位装置と、当該上位装置と通信端末との間で送受信されるデータを中継する通信装置と、を含む通信システムであって、前記上位装置は、自上位装置が無線信号の送受信を停止させる時間に関する情報を含む無線信号を送信する送信部、を備え、前記通信装置は、各上位装置から送信される、前記情報を含む無線信号を受信する受信部と、前記受信した各無線信号を利用して、接続中の上位装置以外の他の上位装置を対象とする優先度を設定し、前記接続中の上位装置における前記時間の所定時間前に、前記設定した優先度をもとに新たな上位装置へ接続先を切り替える制御部と、を備える。
【００１６】
上記課題を解決するために、本発明にかかる他の構成は、複数の上位装置と、当該上位装置と通信端末との間で送受信されるデータを中継する通信装置の通信制御方法であって、各上位装置から送信される、当該上位装置が無線信号の送受信を停止させる時間に関する情報を含む無線信号を受信するステップと、前記受信した前記情報を含む各無線信号を利用して、接続中の上位装置以外の他の上位装置を対象とする優先度を設定するステップと、前記接続中の上位装置における前記時間の所定時間前に、前記設定した優先度をもとに新たな上位装置へ接続先を切り替えるステップと、を含む。
【発明の効果】
【００１７】
本発明によれば、通信サービスをより向上させることができる。
【図面の簡単な説明】
【００１８】
【図１】本実施形態に係る通信システムの概略的な構成を示した図である。
【図２】本実施形態に係る通信装置の概略的な構成を示したブロック図である。
【図３】本実施形態に係る上位装置の概略的な構成を示したブロック図である。
【図４】本実施形態に係る通信システムの処理を説明するための表である。
【図５】本実施形態に係る通信装置の処理を示したフローチャートである。
【図６】本実施形態に係る上位装置の処理を示したフローチャートである。
【発明を実施するための形態】
【００１９】
以下、本発明の一実施形態を図面に基づいて詳細に説明する。
【００２０】
図１は、本発明の一実施形態に係る通信システムの構成を示す図である。通信システム１０は、通信装置である中継基地局２０と、有線回線でネットワークに接続する上位装置である回線側基地局３０（３０Ａ、３０Ｂ）と、通信端末４０と、から構成される。
【００２１】
図２は、本実施形態に係る通信装置の構成を示す図である。図２に示すように、通信装置である中継基地局２０は、第１通信部２１と、第２通信部２２と、記憶部２３と、制御部２４と、を備える。
【００２２】
第１通信部２１は、図示しないアンテナを介して回線側基地局３０から送信される下り無線信号を受信してベースバンド信号に変換（ダウンコンバート）後に、復調及び復号処理を行うことでデータを得る。第１通信部２１は、得られたデータを制御部２４に出力する。また、第１通信部２１は、回線側基地局３０から送信される下り無線信号の電波強度を測定する。そして、第１通信部２１は、測定結果となる電波強度の数値を制御部２４に出力する。
【００２３】
また、第１通信部２１は、制御部２４からのデータの符号化及び変調を行ってベースバンド信号を得た後に、該ベースバンド信号を上り無線信号に変換（アップコンバート）する。第１通信部２１は、図示しないアンテナを介して回線側基地局３０に上り無線信号を送信する。
【００２４】
第２通信部２２は、図示しないアンテナを介して通信端末４０から送信される上り無線信号を受信してベースバンド信号に変換（ダウンコンバート）後に、復調及び復号処理を行うことでデータを得る。第２通信部２２は、得られたデータを制御部２４に出力する。
【００２５】
また、第２通信部２２は、制御部２４からのデータの符号化及び変調を行ってベースバンド信号を得た後に、該ベースバンド信号を下り無線信号に変換（アップコンバート）する。第２通信部２２は、図示しないアンテナを介して通信端末４０に下り無線信号を送信する。
【００２６】
記憶部２３は、例えばメモリによって構成され、中継基地局２０における制御などに用いられる各種情報を記憶する。ここで、記憶部２３が記憶する情報には、後述する回線側基地局リストがある。
【００２７】
制御部２４は、例えばＣＰＵによって構成され、中継基地局２０が具備する各種機能、例えば、中継動作を制御する。制御部２４は、第１通信部２１を介して回線側基地局３０から受信したデータを、第２通信部２２を介して通信端末４０に送信する。一方、制御部２４は、第２通信部２２を介して通信端末４０から受信したデータを、第１通信部２１を介して回線側基地局３０に送信する。
【００２８】
また、制御部２４は、第１通信部２１が受信する、各回線側基地局３０から送信された無線信号をもとに、回線側基地局リストの生成または更新を定期的に行う。そして、制御部２４は、生成または更新後の回線側基地局リストを記憶部２３に記憶させる。
【００２９】
さらに、制御部２４は、接続中の回線側基地局３０から他の回線側基地局３０に接続先を切り替える必要が生じると、記憶部２３に記憶した回線側基地局リストを利用して新たな接続先となる回線側基地局３０を選択し、選択した回線側基地局３０へ無線リソースの予約を要求する処理を行う。制御部２４における、この無線リソースの予約は、現在接続中の回線側基地局３０を介して、選択した回線側基地局３０に要求される。なお、制御部２４における無線リソースの予約を要求する処理の詳細については後述する。
【００３０】
また、制御部２４は、無線リソースの予約を要求する処理を行った後、新たな接続先となる回線側基地局３０の無線リソースを確保できれば、無線リソースを確保できた回線側基地局３０へ接続先を切り替える処理を行う。
【００３１】
図３は、本実施形態に係る上位装置の構成を示す図である。図２に示すように、回線側基地局３０は、通信部３１と、インターフェース（ＩＦ）部３２と、記憶部３３と、制御部３４と、を備える。
【００３２】
通信部３１は、図示しないアンテナを介して中継基地局２０または無線端末４０から送信される上り無線信号を受信してベースバンド信号に変換（ダウンコンバート）後に、復調及び復号処理を行うことでデータを得る。通信部３１は、得られたデータを制御部３４に出力する。
【００３３】
また、通信部３１は、制御部３４からのデータの符号化及び変調を行ってベースバンド信号を得た後に、該ベースバンド信号を下り無線信号に変換（アップコンバート）する。通信部３１は、図示しないアンテナを介して中継基地局３０または無線端末４０に下り無線信号を送信する。
【００３４】
ＩＦ部３２は、ネットワークから送信される信号を受信することでデータを得る。ＩＦ部３２は、得られたデータを制御部３４に出力する。また、ＩＦ部３２は、制御部３４からのデータを信号としてネットワークに送信する。
【００３５】
記憶部３３は、例えばメモリによって構成され、回線側基地局３０における制御などに用いられる各種情報を記憶する。ここで、記憶部３３が記憶する情報には、回線側基地局３０自身の基地局ＩＤ、回線側基地局３０自身の無線リソースの使用状況、後述する、中継基地局２０から要求された無線リソースの予約を管理する中継基地局リスト等がある。
【００３６】
制御部３４は、例えばＣＰＵによって構成され、回線側基地局３０が具備する各種機能を制御する。制御部３４は、通信部３１を介して中継基地局２０または通信端末４０から受信したデータを、ＩＦ部３２を介してネットワークに送信する。一方、制御部３４は、ＩＦ部３２を介してネットワークから受信したデータを、通信部３１を介して中継基地局２０または通信端末４０に送信する。
【００３７】
制御部３４は、接続中の中継基地局２０から他の回線側基地局３０に対する無線リソースの予約要求を、通信部３１を介して受信すると、ＩＦ部３２からネットワークを介して、この他の回線側基地局３０に、受信した無線リソースの予約要求を転送する。
【００３８】
また、制御部３４は、ＩＦ部３２を介して、他の回線側基地局３０から、中継基地局２０における、無線リソースの予約要求を受信すると、記憶部３３に記憶している無線リソースの使用状況を利用して、この中継基地局２０から要求された無線リソースの予約の可否を判断する。その後、制御部３４は、無線リソースの予約の可否の判断結果に応じて、中継基地局リストの生成または更新を行う。その後、制御部３４は、無線リソースの予約要求の送信元となる他の回線側基地局３０に、無線リソースの予約の結果（可否）を示す情報を、ＩＦ部３２を介して送信する。
【００３９】
さらに、制御部３４は、無線リソースに空きが生じると、記憶部３３に記憶している中継基地局リストを参照し、登録されている１の中継基地局２０に対して、当該中継基地局２０への無線リソースの予約が行われたことを示す情報（予約通知）を送信する処理を行う。なお、制御部３４における無線リソースの予約の可否を判断する処理、無線リソースの予約通知を送信する処理の詳細については後述する。
【００４０】
また、制御部３４は、中継基地局２０における、無線リソースの予約要求に対する予約の可否（結果）を、ＩＦ部３２を介して、他の回線側基地局３０から受信すると、この無線リソースの予約要求に対する予約結果を、予約要求を行った中継基地局２０に通信部３１を介して送信する。さらに、制御部３４は、ＩＦ部３２を介して、他の回線側基地局３０から予約通知を受信すると、この予約通知を、予約要求を行った中継基地局２０に通信部３１を介して送信する。
【００４１】
次に、中継基地局２０における接続先として選択された回線側基地局３０へ無線リソースの予約を要求する処理等の詳細を、図４、５を用いて説明する。なお、ここでは、中継基地局２０が現在接続中の回線側基地局３０を回線側基地局３０Ａとし、中継基地局２０が接続先として選択した回線側基地局３０を回線側基地局３０Ｂとする。
【００４２】
中継基地局２０は、接続先の回線側基地局３０を切り替える処理を行うにあたり、制御部２４が生成、更新し、記憶部２３に記憶させた回線側基地局リストを利用する。制御部２４は、周囲の各回線側基地局３０から送信された無線信号の電波強度の数値を、第１通信部２１から出力される。そして、制御部２４は、第１通信部２１から出力された無線信号の電波強度の数値を基に接続先とする回線側基地局３０の優先度を設定する。その後、制御部２４は、これらを対応づけて回線側基地局リストとして記憶部２３に記憶させることで、この回線側基地局リストの作成、更新を行う。
【００４３】
図４（Ａ）は、回線側基地局リストを示す。回線側基地局リストは、各回線側基地局３０における、基地局ＩＤと、電波強度と、優先順位とが対応づけられている。基地局ＩＤは、各回線側基地局３０から送信される情報（例えば、報知情報）を基に把握される。
【００４４】
次に、制御部２４は、各回線側基地局３０が送信した無線信号の電波強度の測定結果となる数値が大きい順（電波強度が強い順）に、接続中の回線側基地局３０以外の、接続先となる回線側基地局３０の優先度を設定する。図４（Ａ）では、接続中の回線側基地局３０Ａ（ＩＤ：ＡＢ５００１４）以外の他の回線側基地局３０に対して優先度を設定している。なお、ここでは、回線側基地局３０Ｂ（ＩＤ：ＡＢ５００３２）の優先度（優先順位）が最も高く設定されている。
【００４５】
制御部２４は、接続中の回線側基地局３０の電波強度が所定値未満になったり、接続中の回線側基地局３０からの接続先の切り替え要求を受信したりすると、接続する回線側基地局３０を切り替える。そのため、制御部２４は、回線側基地局リストを利用して接続先となる他の回線側基地局３０を選択する（ステップＳ１０1）。制御部２４は、回線側基地局リストに含まれる回線側基地局３０のうち、優先度（優先順位）が最も高く設定されている回線側基地局３０（ここでは、回線側基地局３０Ｂ）を選択する。その後、制御部２４は、回線側基地局３０Ｂに、接続中の回線側基地局３０Ａを介して、無線リソースの予約を要求する（ステップＳ１０２）。
【００４６】
ここで、制御部２４は、無線リソースの予約要求に、中継基地局２０自身が無線リソースの予約を待つことができるか否かを示す情報を含めて送信する。ここで、制御部２４が予約を待つことができる状態とは、例えば、現在接続中の回線側基地局３０との間で無線通信を継続してもよい通信品質を維持できるが、他の回線側基地局３０に接続すれば、より通信品質の高い無線通信を行うことができると判断した状態である。一方、制御部２４が予約を待つことができない状態とは、例えば、現在接続中の回線側基地局３０が、一定期間、無線信号の送受信を停止し、他の回線側基地局３０との無線信号の送受信タイミングの同期処理、アレーアンテナのキャリブレーション処理、ハードウェアの異常検出処理等を行う定期監視等により通信サービスを一時的に停止する際等、他の回線側基地局３０に接続先をすぐに切り替える必要が生じている状態である。
【００４７】
その後、制御部２４は、回線側基地局３０Ａを介して、回線側基地局３０Ｂから無線リソースの予約結果を受信する（ステップＳ１０３）。そして、制御部２４は、無線リソースを予約することができた場合（ステップＳ１０４Ｙｅｓに相当）、接続中の回線側基地局３０Ａとの無線通信を切断し（ステップＳ１０５）、新たな接続先となる回線側基地局３０Ｂに無線接続する（ステップＳ１０６）。
【００４８】
これに対し、無線リソースを予約することができず（ステップＳ１０４Ｎｏに相当）、かつ、予約を待つことができない状態（ステップＳ１０７Ｎｏに相当）である場合、制御部２４は、次に優先度の高い他の回線側基地局３０を選択し（ステップＳ１０９）、この回線側基地局３０に無線リソースの予約要求を送信する。
【００４９】
また、無線リソースを予約することができず（ステップＳ１０４Ｎｏに相当）、かつ、予約を待つことができる状態（ステップＳ１０７Ｙｅｓに相当）である場合、制御部２４は、回線側基地局３０Ｂからの予約通知を待つ。そして、制御部２４は、予約通知を受信すると（ステップＳ１０８）、接続中の回線側基地局３０Ａとの無線通信を切断し（ステップＳ１０５）、新たな接続先となる回線側基地局３０Ｂに無線接続する（ステップＳ１０６）。
【００５０】
次に、無線リソースの予約を中継基地局２０要求された回線側基地局３０（ここでは、回線側基地局３０Ｂ）における、無線リソースの予約の可否を判断する処理、無線リソースの予約通知を送信する処理の詳細を、図４、６を用いて説明する。
【００５１】
回線側基地局３０Ｂの制御部３４は、中継基地局２０からの無線リソースの予約要求を、ＩＦ部３２を介して受信すると（ステップＳ２０１）、現在、通信サービスを提供しているか否か、例えば、定期監視等で、回線側基地局３０Ｂが、中継基地局２０や無線端末４０との無線通信を実行していない時間帯であるか否かを判断する（ステップＳ２０２）。制御部３４は、通信サービスを提供中であると判断すると（ステップＳ２０２Ｙｅｓに相当）、記憶部３３に記憶される無線リソースの利用状況を参照しつつ、無線リソースの予約を試みる（ステップＳ２０３）。制御部３４は、中継基地局２０に対する無線リソースを予約できた場合（ステップＳ２０４Ｙｅｓに相当）、予約結果（予約した旨を示す情報）を、回線側基地局３０Ａを介して中継基地局２０に送信する（ステップＳ２０５）。その後、制御部３４は、中継基地局２０との無線通信を開始する（ステップＳ２０６）。
【００５２】
一方、制御部３４は、通信サービスを提供中でないと判断したり（ステップＳ２０２Ｎｏに相当）、中継基地局２０に対する無線リソースを予約できなかったりした場合（ステップＳ２０４Ｎｏに相当）、予約結果（予約不可を示す情報）を、回線側基地局３０Ａを介して中継基地局２０に送信する（ステップＳ２０７）。
【００５３】
次に、制御部３４は、予約要求を送信した中継基地局２０が、予約を待つことができる状態であるか否かを、受信した予約要求に含まれる情報を用いて判断する。制御部３４は、中継基地局２０が予約待ち可能な場合（ステップＳ２０８Ｙｅｓに相当）、この中継基地局２０を記憶部３３に記憶される中継基地局リストに登録することで、この中継基地局リストを更新する。（ステップＳ２０９）。
【００５４】
図４（Ｂ）は、記憶部３３に記憶される中継基地局リストを示す。中継基地局リストは、予約待ち可能な中継基地局２０の、このリストへの登録時刻と、基地局ＩＤと、この中継基地局２０が現在接続している回線側基地局３０の基地局ＩＤとが対応づけられている。ステップＳ２０９では、制御部３４は、中継基地局２０（基地局ＩＤ：ＸＹ１０００５）に、登録時刻と、現在接続中の回線側基地局３０Ａ（基地局ＩＤ：ＡＢ５００１４）とが対応づけて中継基地局リストに登録する。
【００５５】
制御部３４は、中継基地局リストの更新後、再度、通信サービスを提供しているか否か判断する（ステップＳ２１０）。制御部３４は、通信サービスを提供中であると判断すると（ステップＳ２１０Ｙｅｓに相当）、無線リソースの予約の処理を行う（ステップＳ２１１）。ここでは、制御部３４は、無線リソースの予約の処理とし、他の通信端末４０や中継基地局２０との無線通信が終了し、無線リソースに空きが生じた場合、この無線リソースを、中継基地局リストに登録されている中継基地局２０のうち、最も早く登録された中継基地局２０用に予約する。そして、制御部３４は、予約することができたら（ステップＳ２１２Ｙｅｓに相当）、無線リソースを予約した中継基地局２０に対して、この中継基地局２０が現在接続中の回線側基地局３０を介して、予約通知を送信する（ステップＳ２１３）。その後、制御部３４は、中継基地局２０との無線通信を開始する（ステップＳ２０６）。
【００５６】
以上、本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００５７】
例えば、各部材、各手段、各ステップなどに含まれる機能などは論理的に矛盾しないように再配置可能であり、複数の手段やステップなどを１つに組み合わせたり、或いは分割したりすることが可能である。
【００５８】
また、上述の実施形態においては、有線ネットワークに接続する回線側基地局を上位装置として説明した。しかしながら、上位装置は、これに限られるものではなく、上述した中継局装置自身が上位装置として動作することも可能である。さらには、予約結果であったり、予約通知に関し、通信装置（中継基地局）が現在接続中の上位装置を介して受信していたが、無線リソースの予約要求を行った上位装置から報知情報等により直接、通信装置に送信してもよい。
【符号の説明】
【００５９】
１０…通信システム、２０…中継基地局、２１…第１通信部、２２…第２通信部、２３，３３…記憶部、２４，３４…制御部、３０…回線側基地局、３１…通信部、３２…インターフェース（ＩＦ）部、４０…通信端末。
【図１】
2015177357.tif 000003
【図２】
2015177357.tif 000004
【図３】
2015177357.tif 000005
【図４】
2015177357.tif 000006
【図５】
2015177357.tif 000007
【図６】
2015177357.tif 000008